(57)【要約】【課題】クエーサーとジェットが届いた所は、現在、銀河系でどのようになっているか。背景放射はどの方向からもやってくるのはどうしてか。【解決手段】クエーサーは銀河系の中央部になり、ジェットが届いた所は銀河系の腕に成っている。銀河系の中央部の大きさ：銀河系の大きさ＝クエーサーの大きさ：２×ジェットが届いた距離＝３０００光年：１０万光年  この式からクエーサーの大きさがわかる。クエーサーは数日で１自転することから、クエーサーの大きさがわかる。そして、ジェットが届く距離もわかる。このジェットが届く範囲から電子のラブと陽子のラブが集まった。ジェットが届く距離によって１ｍ３の原子数は一定であるかどうかが判る。ビッグバンでできた光子が背景放射としてたどり着く場合、出発した光子のエネルギーとたどり着く光子のエネルギーは、どのような式になるかを知る。【選択図】図１
2008104347.tif 000002
【特許請求の範囲】
【請求項１】
クエーサーの大きさはいくらであったか。クエーサーが１回転する時、何日かかるか。
渦巻銀河の腕は、クエーサーが銀河に成った時、ジェットの届く所にできた星の集団です。
渦巻銀河の腕の大きさは、銀河の直径です。
即ち、銀河の直径は、クエーサーができた時、ジェットが届いた所です。
銀河の中央部の厚くなっている部分は、クエーサーであった部分です。
銀河の直径を１０万光年とします。
銀河の厚くなった部分の長さを３０００光年とします。
２００７年８月２５日に提出した特許願いの「請求項２６」から、クエーサーの中心部分の質量とジェットが届く距離が解ります。
2008104347.tif 000015
クエーサーの大きさ：２×ジェットが届く距離はいくらか。
クエーサーの大きさ：２×ジェットが届く距離は、銀河の厚くなった部分の長さ：銀河の直径です。
銀河の厚くなった部分の長さ：銀河の直径＝３０００光年：１０５光年＝１：３３．３３
それで、クエーサーの大きさ：２×ジェットが届く距離は１：３３．３３です。
クエーサーの大きさ：２×ジェットが届く距離＝１：３３．３３
クエーサーの大きさ＝２×ジェットが届く距離÷３３．３３＝ジェットが届く距離×０．０６
クエーサーの大きさ＝ジェットが届く距離×０．０６
▲１▼クエーサーの中心部の質量が太陽の１０４倍の場合。
・クエーサーの大きさはいくらか。
ジェットが届く距離は１．３１０×１０１４ｍですから、
クエーサーの大きさ＝１．３１０×１０１４ｍ×０．０６＝７．８６×１０１２ｍ
クエーサーの大きさは７．８６×１０１２ｍです。
・クエーサーが１回転する時、何日かかるか。
クエーサーの自転する秒速を３×１０８ｍとする。
７．８６×１０１２ｍ×３．１４÷（３×１０８ｍ×２４×６０×６０）＝９．５２２×１０−１
クエーサーが１回転すると、０．９５日かかる。
・クエーサーは何倍に拡大したか。２×ジェットが届いた距離は何倍に拡大したか。
クエーサーは、３０００光年になったので、
３０００光年÷（７．８６×１０１２ｍ）＝３０００×９．４６×１０１５ｍ÷（７．８６×１０１２ｍ）＝３．６１１×１０６倍に拡大した。
２×ジェットが届いた距離は、銀河の直径になったので、
１０５光年÷（２×１．３１０×１０１４ｍ）＝１０５×９．４６×１０１５ｍ÷（２×１．３１０×１０１４ｍ）＝３．６１１×１０６倍に拡大した。
▲２▼クエーサーの中心部の質量が太陽の１０５倍の場合。
・クエーサーの大きさはいくらか。
ジェットが届く距離は３．０６５×１０１４ｍですから、
クエーサーの大きさ＝３．０６５×１０１４ｍ×０．０６＝１．８３９×１０１３ｍ
クエーサーの大きさは１．８３９×１０１３ｍです。
・クエーサーが１回転する時、何日かかるか。
クエーサーの自転する秒速を３×１０８ｍとする。
１．８３９×１０１３ｍ×３．１４÷（３×１０８ｍ×２４×６０×６０）＝２．２２８
クエーサーが１回転すると、２．２日かかる。
・クエーサーは何倍に拡大したか。２×ジェットが届いた距離は何倍に拡大したか。
クエーサーは、３０００光年になったので、
３０００光年÷（１．８３９×１０１３ｍ）＝３０００×９．４６×１０１５ｍ÷（１．８３９×１０１３ｍ）＝１．５４３×１０６倍に拡大した。
２×ジェットが届いた距離は、銀河の直径になったので、
１０５光年÷（２×３．０６５×１０１４ｍ）＝１０５×９．４６×１０１５ｍ÷（２×３．０６５×１０１４ｍ）＝１．５４３×１０６倍に拡大した。
▲３▼クエーサーの中心部の質量が太陽の１０６倍の場合。
・クエーサーの大きさはいくらか。
ジェットが届く距離は６．６×１０１４ｍですから、
クエーサーの大きさ＝６．６×１０１４ｍ×０．０６＝３．９６×１０１３ｍ
クエーサーの大きさは３．９６×１０１３ｍです。
・クエーサーが１回転する時、何日かかるか。
クエーサーの自転する秒速を３×１０８ｍとする。
３．９６×１０１３ｍ×３．１４÷（３×１０８ｍ×２４×６０×６０）＝４．７９７
クエーサーが１回転すると、４．８日かかる。
・クエーサーは何倍に拡大したか。２×ジェットが届いた距離は何倍に拡大したか。
クエーサーは、３０００光年になったので、
３０００光年÷（３．９６×１０１３ｍ）＝３０００×９．４６×１０１５ｍ÷（３．９６×１０１３ｍ）＝７．１６７×１０５倍に拡大した。
２×ジェットが届いた距離は、銀河の直径になったので、
１０５光年÷（２×６．６×１０１４ｍ）＝１０５×９．４６×１０１５ｍ÷（２×６．６×１０１４ｍ）＝７．１６７×１０５倍に拡大した。
▲４▼クエーサーの中心部の質量が太陽の１０７倍の場合。
・クエーサーの大きさはいくらか。
ジェットが届く距離は１．４２２×１０１５ｍですから、
クエーサーの大きさ＝１．４２２×１０１５ｍ×０．０６＝８．５３２×１０１３ｍ
クエーサーの大きさは８．５３２×１０１３ｍです。
・クエーサーが１回転する時、何日かかるか。
クエーサーの自転する秒速を３×１０８ｍとする。
８．５３２×１０１３ｍ×３．１４÷（３×１０８ｍ×２４×６０×６０）＝１．０３４×１０
クエーサーが１回転すると、１０日かかる。
・クエーサーは何倍に拡大したか。２×ジェットが届いた距離は何倍に拡大したか。
クエーサーは、３０００光年になったので、
３０００光年÷（８．５３２×１０１３ｍ）＝３０００×９．４６×１０１５ｍ÷（８．５３２×１０１３ｍ）＝３．３２６×１０５倍に拡大した。
２×ジェットが届いた距離は、銀河の直径になったので、
１０５光年÷（２×１．４２２×１０１５ｍ）＝１０５×９．４６×１０１５ｍ÷（２×１．４２２×１０１５ｍ）＝３．３２６×１０５倍に拡大した。
▲５▼クエーサーの中心部の質量が太陽の１０８倍の場合。
・クエーサーの大きさはいくらか。
ジェットが届く距離は３．０６５×１０１５ｍですから、
クエーサーの大きさ＝３．０６５×１０１５ｍ×０．０６＝１．８３９×１０１４ｍ
クエーサーの大きさは１．８３９×１０１４ｍです。
・クエーサーが１回転する時、何日かかるか。
クエーサーの自転する秒速を３×１０８ｍとする。
１．８３９×１０１４ｍ×３．１４÷（３×１０８ｍ×２４×６０×６０）＝２．２２８×１０
クエーサーが１回転すると、２２日かかる。
・クエーサーは何倍に拡大したか。２×ジェットが届いた距離は何倍に拡大したか。
クエーサーは、３０００光年になったので、
３０００光年÷（１．８３９×１０１４ｍ）＝３０００×９．４６×１０１５ｍ÷（１．８３９×１０１４ｍ）＝１．５４３×１０５倍に拡大した。
２×ジェットが届いた距離は、銀河の直径になったので、
１０５光年÷（２×３．０６５×１０１５ｍ）＝１０５×９．４６×１０１５ｍ÷（２×３．０６５×１０１５ｍ）＝１．５４３×１０５倍に拡大した。
▲６▼クエーサーの中心部の質量が太陽の１０９倍の場合。
・クエーサーの大きさはいくらか。
ジェットが届く距離は６．６×１０１５ｍですから、
クエーサーの大きさ＝６．６×１０１５ｍ×０．０６＝３．９６×１０１４ｍ
クエーサーの大きさは３．９６×１０１４ｍです。
・クエーサーが１回転する時、何日かかるか。
クエーサーの自転する秒速を３×１０８ｍとする。
３．９６×１０１４ｍ×３．１４÷（３×１０８ｍ×２４×６０×６０）＝４．７９７×１０
クエーサーが１回転すると、４８日かかる。
・クエーサーは何倍に拡大したか。２×ジェットが届いた距離は何倍に拡大したか。
クエーサーは、３０００光年になったので、
３０００光年÷（３．９６×１０１４ｍ）＝３０００×９．４６×１０１５ｍ÷（３．９６×１０１４ｍ）＝７．１６７×１０４倍に拡大した。
２×ジェットが届いた距離は、銀河の直径になったので、
１０５光年÷（２×６．６×１０１５ｍ）＝１０５×９．４６×１０１５ｍ÷（２×６．６×１０１５ｍ）＝７．１６７×１０４倍に拡大した。
まとめて表にする。
2008104347.tif 000016
この事によって、何が理解できるか。
１、クエーサーの１自転は数日であるといいます。この場合、中心の質量が太陽の１０６倍のクエーサーです。
２、銀河系の中心のブラックホールは太陽の質量の１０６倍であるから、クエーサーの中心部の質量は太陽の１０６＋２＝１０８倍であり、クエーサーは、１．５４３×１０５倍に拡大し銀河系になった。
３、クエーサーの１自転が数日である事によって、ジェットの届く距離は正しい。
４、ジェットの届く距離＝太陽の赤道半径×８４９×クエーサーや銀河の中心のＡ÷太陽の中心のＡ＝６．９６×１０５Ｋｍ×８４９×クエーサーや銀河の中心のＡ÷（３．８７２×１０３）＝１．５２６×１０５Ｋｍ×クエーサーや銀河の中心のＡ
この式は正しい。これは、２００７年８月２５日に提出した特許願の「請求項２４」に記した。
５、中心部が太陽の質量のβ倍のクエーサーの場合、
クエーサーの中心のＡ＝４．３２５×１０４×β１／３
この式は正しい。これは、２００７年８月２５日に提出した特許願の「請求項２２」に記した。
【請求項２】
ブラックホールのＡは７．３７８×１０５で、ジェットは半径１．１２６×１０１１Ｋｍまで届きます。このジェットによってできるクエーサーの大きさはいくらか。そのクエーサーが１自転するときの日数はいくらか。
クエーサーの大きさ＝２×ジェットが届く距離÷３３．３＝ジェットが届く距離×０．０６＝１．１２６×１０１１Ｋｍ×０．０６＝６．７５６×１０９Ｋｍ＝６．７５６×１０１２ｍ
クエーサーの大きさは、直径６．７５６×１０１２ｍです。
このクエーサーが１回自転するときの日数はいくらか。自転する秒速を３×１０８ｍとする。
３．１４×６．７５６×１０１２ｍ÷（３×１０８ｍ×２４×６０×６０）＝８．１８４×１０−１（日）
クエーサーが１回自転するときの日数は、０．８１８日です。
この事によって何が理解できるか。
１、クエーサーの大きさは数日で１自転する。しかし、ブラックホールのジェットでできるクエーサーは０．８１８日で１自転する大きさです。
２、この事は、クエーサーはブラックホールのジェットが届く半径１．１２６×１０１１Ｋｍまでの範囲がクエーサーに成ったのではない。もっと大きい範囲がクエーサーに成った。
３、クエーサーができた時、宇宙の原子密度（その時は原子として存在せず、電子のラブと陽子のラブは単独で存在した。）は均一であった。
４、しかし、クエーサーの大きさが異なるのは、クエーサーができた場のエネルギーが異なるためである。
【請求項３】
どうして背景放射はどの方向からもやってくるのか。
もし、ビッグバンで出発した光子が一定方向に進んでいるならば、地球にたどり着く背景放射は一定方向からやってくるはずです。
しかし、背景放射はあらゆる方向からやってきます。
この事は、背景放射はランダムに走っているということです。
背景放射は、銀河系をランダムに走っている。
クエーサーができた時、ビッグバンでできた光子はクエーサーのまわりを回転した。
１０−１６ｍの時代に、クエーサーはできました。クエーサーの中心はブラックホールでした。
ブラックホールは光子をも引きつけました。ビッグバンでできた光子はクエーサーの周りを回転しました。現在、ビッグバンでできた光子は、銀河系の周囲をランダムに回転しています。これが現在、エネルギーを弱め、背景放射として地球にたどり着いています。
【請求項４】
たどり着く光子のエネルギー＝２×１０８×出発する光子のエネルギー÷（２×走った距離）の式は光子のエネルギーの減少率を示す。これを宇宙背景放射によって確認する。
背景放射は、ビッグバンの時できた光子です。
宇宙背景放射の波長は２×１０−３ｍで、温度は２．７３Ｋです。
この軌道エネルギーはいくらか。
軌道は、２×１０−３ｍ÷２＝１０−３ｍです。エネルギーは、２．７３Ｋ＝２．７３×１．３８０６５×１０−２３Ｊ＝３．７６９１７×１０−２３Ｊです。
それで、宇宙背景放射の光子の軌道エネルギーは、
１０−３ｍ×３．７６９１７×１０−２３Ｊ＝３．７６９１７×１０−２６Ｊｍです。
宇宙背景放射の光子の軌道エネルギーは、ラブの軌道エネルギーが弱まったものです。
どれ位弱まったか。
３．７６９１７×１０−２６Ｊｍ÷（８．６６５×１０−２４Ｊｍ）＝４．３５×１０−３倍に弱まった。
これは、１３７億光年の距離を走り続けているうち、光子の軌道エネルギーは衰弱したのです。
ビッグバンで放出した光子の軌道エネルギーは、地表の光子の軌道エネルギーの何倍か。
８．６６５×１０−２４Ｊｍ÷（１．２３３×１０−４１Ｊｍ）＝７．０２８×１０１７  ７．０２８×１０１７倍です。
宇宙背景放射の光子の軌道エネルギーは、地表の光子の軌道エネルギーの何倍か。
３．７６９１７×１０−２６Ｊｍ÷（１．２３３×１０−４１Ｊｍ）＝３．０５７×１０１５  ３．０５７×１０１５倍です。
もし、背景放射の光子が走り続けているならば、光子のエネルギーは、太陽から出発する光子のように減少するはずです。
そのエネルギーは、
たどり着く光子のエネルギー＝２×１０８×出発する光子のエネルギー÷（２×走った距離）です。
この式は、２００４年６月１１日に提出した特願２００４−２０２４９６に記した。
この式によって、背景放射がたどり着くエネルギーを算出する。
軌道エネルギーの減少分はエネルギーの減少分です。
このことは、２００７年５月１０日に提出した特願２００７−１５０９５９の「請求項１」に記した。
走った距離を、光速×１３７億年とする。
走った距離＝１．３７×１０１０×３×１０８ｍ×３６５×２４×６０×６０＝１．２９６×１０２６ｍ
たどり着く光子のエネルギー＝２×１０８×出発する光子のエネルギー÷（２×走った距離）＝２×１０８×出発する光子のエネルギー÷（２×１．２９６×１０２６ｍ）＝７．７１６×１０−１９×出発する光子のエネルギー
この事をどのように理解したらよいのか。
地表の光子の場合、たどり着く光子のエネルギーは出発する光子のエネルギーの７．７１６×１０−１９倍に成る。
しかし、ビッグバンで放出した光子の軌道エネルギーは、地表の光子の軌道エネルギーの７．０２８×１０１７倍ですから、
たどり着く光子のエネルギー＝出発する光子のエネルギー×７．７１６×１０−１９＝７．０２８×１０１７倍×７．７１６×１０−１９＝５．４２３×１０−１倍
たどり着く光子のエネルギーは５．４２３×１０−１倍に成る。
宇宙背景放射の光子の軌道エネルギーは、ビッグバンで放出した光子の軌道エネルギーの４．３５×１０−３倍に弱まった。
５．４２３×１０−１倍÷（４．３５×１０−３倍）＝１．２４７×１０２
ビッグバンで光子のエネルギーは約１００分の１になり、その後走っているうち、徐々にエネルギーを減少する。
このように考えると、
たどり着く光子のエネルギー＝２×１０８×出発する光子のエネルギー÷（２×走った距離）の式は正しい。
たどり着く光子のエネルギー＝２×１０８×出発する光子のエネルギー÷（２×走った距離）の式は光子のエネルギーの減少率を示す。
たどり着く光子のエネルギー＝２×１０８×出発する光子のエネルギー÷（２×走った距離）＝出発するエネルギー÷（走った距離÷１０９）×０．１
光子は１０９ｍ走ると、エネルギーを１／１０にする。
【請求項５】
たどり着く光子のエネルギー＝Ｋｍ×ａＪ÷（２×走った距離）。ａＪ＝出発した光子のエネルギーとＫについて。
この式は、２００４年６月１１日に提出した特願２００４−２０２４９６に記した。
たどり着く光子のエネルギー＝Ｋｍ×ａＪ÷（２×走った距離）
地表にたどり着く光子について。
地表にたどり着く光子のエネルギーは、６．６７×１０−３５Ｊで、軌道は１．８５×１０−７ｍで、波長は３．７×１０−７ｍとします。
この理由は、太陽からたどり着く光子が、物質の中に吸収され、物質の表面から、物質の表面の分子の軌道の光子が放出する。この放出する光子を目は受ける。
それで、太陽からたどり着く光子の軌道は、紫色より小さな軌道です。
紫色の波長は３．８×１０−７ｍが最小ですから、これよりも小さい波長である３．７×１０−７ｍを、太陽から地表にたどり着く光子とする。
▲１▼星の表面から出発する光子の場合。
太陽の場合。太陽の表面から出発した電気の光子の軌道は１０−１０ｍとします。エネルギーは１０−３１Ｊです。
ＡＪは星の表面から出発した電気の光子のエネルギーです。
Ｋの値は、
たどり着く光子のエネルギー＝Ｋｍ×ａＪ÷（２×走った距離）＝Ｋ×１０−３１Ｊ÷（２×１．５×１０１１ｍ）＝６．６７×１０−３５Ｊ
Ｋ＝６．６７×１０−３５Ｊ÷１０−３１Ｊ×（２×１．５×１０１１ｍ）＝２×１０８ｍ
Ｋ＝２×１０８ｍ
Ｋｍ＝２×１０８ｍの場合、ａＪは星の表面から出発する光子のエネルギーです。
▲２▼星の中心から出発する光子の場合。
中心の軌道エネルギーを、１クーロンの１／２乗ｍ×ａＪとします。
ａＪは、星の中心から出発する光子のエネルギーです。
たどり着く光子のエネルギー＝Ｋｍ×ａＪ÷（２×走った距離）＝（９×１０９）１／２ｍ×ａＪ÷（２×走った距離）＝９．４８７×１０４ｍ×ａＪ÷（２×走った距離）＝９．４８７×１０４ｍ×ａＪ÷（２×１．５×１０１１ｍ）＝６．６７×１０−３５Ｊ
ａＪ＝６．６７×１０−３５Ｊ÷（９．４８７×１０４ｍ）×２×１．５×１０１１ｍ＝２．０８７×１０−２８Ｊ
この軌道は、１０−４１Ｊｍ÷（２．０８７×１０−２８Ｊ）＝４．７９×１０−１４ｍです。
ｃｆ：太陽（星）の中心は、核融合が行われる軌道で、Ａ＝３．８７２×１０３です。
太陽の中心の軌道は、１．０５８×１０−１０ｍ÷（３．８７２×１０３）＝２．７３２×１０−１４ｍです。
この軌道の電気の光子のエネルギーは、１０−４１Ｊｍ÷（２．７３２×１０−１４ｍ）＝３．６６×１０−２８Ｊです。
よって、Ｋ＝（９×１０９）１／２＝９．４８７×１０４は妥当な値です。
Ｋｍ＝（９×１０９）１／２ｍ＝９．４８７×１０４ｍの場合、ａＪは星の中心を出発する電気の光子のエネルギーである。これは、ニュートリノのエネルギーです。
【請求項６】
地表に可視光でたどり着く場合、走った距離と出発した光子のエネルギーと軌道はどれ位か。
・出発した光子のエネルギーと軌道はどれ位か。
ａＪは星の表面を出発する光子のエネルギーである。よって、Ｋｍ＝２×１０８ｍです。
たどり着く光子のエネルギー＝Ｋｍ×ａＪ÷（２×走った距離）＝２×１０８ｍ×ａＪ÷（２×走った距離）＝１０８ｍ×ａＪ÷走った距離＝６．６７×１０−３５Ｊ
ａＪ＝６．６７×１０−３５Ｊ×走った距離÷１０８ｍ＝６．６７×１０−４３ｍ×走った距離
出発した光子の軌道は、
１０−４１Ｊｍ÷光子のエネルギー＝１０−４１Ｊｍ÷（６．６７×１０−４３ｍ×走った距離）＝１．５×１０÷走った距離
よって、
出発した光子のエネルギーは、６．６７×１０−４３ｍ×走った距離  です。
出発した光子の軌道は、１５÷走った距離  です。
・宇宙の場を出発した光子が、地表に６．６７×１０−３５Ｊでたどり着く場合、出発した光子のエネルギーと軌道はいくらか。
太陽は、走った距離が１．５×１０１１ｍですから、
出発した光子のエネルギー＝６．６７×１０−４３ｍ×走った距離＝６．６７×１０−４３ｍ×１．５×１０１１ｍ＝１０−３１Ｊ
軌道＝１０−４１Ｊｍ÷１０−３１Ｊ＝１０−１０ｍ
または、出発した光子の軌道＝１５÷走った距離＝１５÷（１．５×１０１１ｍ）＝１０−１０ｍ
太陽を出発した光子のエネルギーは１０−３１Ｊで、軌道は１０−１０ｍです。
１光年は、走った距離が９．４６×１０１５ｍですから、
出発した光子のエネルギー＝６．６７×１０−４３ｍ×９．４６×１０１５ｍ＝６．３１×１０−２７Ｊ
この軌道は、１０−４１Ｊｍ÷（６．３１×１０−２７Ｊ）＝１．５８５×１０−１５ｍ
出発した光子のエネルギーは６．３１×１０−２７Ｊで、軌道は１．５８５×１０−１５ｍです。
１光年の場を出発した光子のエネルギーは６．３１×１０−２７Ｊで、軌道は１．５８５×１０−１５ｍです。
１０光年の場を出発した光子のエネルギーは６．３１×１０−２６Ｊで、軌道は１．５８５×１０−１６ｍです。
１００光年の場を出発した光子のエネルギーは６．３１×１０−２５Ｊで、軌道は１．５８５×１０−１７ｍです。
１０３光年の場を出発した光子のエネルギーは６．３１×１０−２４Ｊで、軌道は１．５８５×１０−１８ｍです。
１０４光年の場を出発した光子のエネルギーは６．３１×１０−２３Ｊで、軌道は１．５８５×１０−１９ｍです。
１０５光年の場を出発した光子のエネルギーは６．３１×１０−２２Ｊで、軌道は１．５８５×１０−２０ｍです。
１０６光年の場を出発した光子のエネルギーは６．３１×１０−２１Ｊで、軌道は１．５８５×１０−２１ｍです。
１０７光年の場を出発した光子のエネルギーは６．３１×１０−２０Ｊで、軌道は１．５８５×１０−２２ｍです。
１０８光年の場を出発した光子のエネルギーは６．３１×１０−１９Ｊで、軌道は１．５８５×１０−２３ｍです。
１０９光年の場を出発した光子のエネルギーは６．３１×１０−１８Ｊで、軌道は１．５８５×１０−２４ｍです。
１０１０光年の場を出発した光子のエネルギーは６．３１×１０−１７Ｊで、軌道は１．５８５×１０−２５ｍです。
これを表にします。
2008104347.tif 000017
【請求項７】
クエーサーから出発した光子のエネルギーは、どのようであるか。
クエーサーの光子は１０１０光年の場から出発します。この光子が可視光として到着するためには、光子のエネルギーは６．３１×１０−１７Ｊでなければいけません。
しかし、この場は、電子のラブの公転軌道は１０−１６ｍですから、１公転でできる電気の光子の軌道は１０−１６ｍです。
１０−１６ｍの場の電気の光子１個のエネルギーは、
１０−４１Ｊｍ÷１０−１６ｍ＝１０−２５Ｊ
６．３１×１０−１７Ｊに成るためには何個の電気の光子が集まらなければ成らないか。
６．３１×１０−１７Ｊ÷１０−２５Ｊ＝６．３１×１０８個集まらなければ成らない。
それで、クエーサーから出発する電気の光子は、６．３１×１０８個集まって地表にたどり着き可視光と成っている。
もし、１０８個集まって走ってくるのであれば、そのエネルギーは、
１０−２５Ｊ×１０８＝１０−１７Ｊです。
６．３１×１０−１７Ｊで出発すると、６．６７×１０−３５Ｊに成りたどり着くのですから、１０−１７Ｊで出発すると、
６．６７×１０−３５Ｊ÷６．３１＝１．０５７×１０−３５Ｊでたどり着きます。
この軌道は、１０−４１Ｊｍ÷（１．０５７×１０−３５Ｊ）＝９．４６１×１０−７ｍで、
この波長は、９．４６１×１０−７ｍ×２＝１．８９２×１０−６ｍです。
１．８９２×１０−６ｍの波長は、近赤外線です。
これを、望遠鏡で観察できます。
この事によって何が理解できるか。
クエーサーから出発する電気の光子は１０８個束になって走っている。
【請求項８】
地表から１００億光年、１０億光年、１億光年の場から出発する光子のエネルギーと地表にたどり着く時のエネルギーはどのように求められるか。
・出発する光子のエネルギーについて。
１００億光年のクエーサーから出発する電気の光子の軌道は１０−１６ｍで、エネルギーは、１０−２５Ｊです。
１０億光年の銀河から出発する電気の光子の軌道は１０−１５ｍで、エネルギーは、１０−２６Ｊです。
１億光年の銀河から出発する電気の光子の軌道は１０−１４ｍで、エネルギーは、１０−２７Ｊです。
・たどり着く光子のエネルギーについて。
１００億光年のクエーサーの光が赤色に見えるとする。赤色の光子の波長を７．７×１０−７ｍとする。
赤色の光子の波長は７．７×１０−７ｍで、軌道は７．７×１０−７ｍ÷２＝３．８５×１０−７ｍです。このエネルギーは、１０−４１Ｊｍ÷（３．８５×１０−７ｍ）＝２．６×１０−３５Ｊです。
１０億光年の銀河の光が橙色に見えるとする。橙色の光子の波長を６×１０−７ｍとする。
橙色の光子の波長は６×１０−７ｍで、軌道は６×１０−７ｍ÷２＝３×１０−７ｍです。このエネルギーは、１０−４１Ｊｍ÷（３×１０−７ｍ）＝３．３３×１０−３５Ｊです。
１億光年の銀河の光が青色でたどり着くとする。青色の光子の波長を４．５×１０−７ｍとする。
青色の光子の波長は４．５×１０−７ｍで、軌道は４．５×１０−７ｍ÷２＝２．２５×１０−７ｍです。このエネルギーは、１０−４１Ｊｍ÷（２．２５×１０−７ｍ）＝４．４４×１０−３５Ｊです。
・たどり着く光子のエネルギーについて。
たどり着く光子のエネルギー＝Ｋｍ×ａＪ÷（２×距離）の式のＫはいくらになるか。
１００億光年のクエーサーからの光が赤色に見える場合。
たどり着く光子のエネルギー＝Ｋｍ×ａＪ÷（２×距離）
２．６×１０−３５Ｊ＝Ｋ×１０−２５Ｊ÷（２×１０１０年×９．４６×１０１５ｍ）
Ｋ＝２．６×１０−３５Ｊ÷１０−２５Ｊ×（２×１０１０年×９．４６×１０１５ｍ）＝４．９１９×１０１６
１０億光年の銀河からの光が橙色に見える場合。
たどり着く光子のエネルギー＝Ｋｍ×ａＪ÷（２×距離）
３．３３×１０−３５Ｊ＝Ｋｍ×１０−２６Ｊ÷（２×１０９年×９．４６×１０１５ｍ）
Ｋ＝３．３３×１０−３５Ｊ÷１０−２６Ｊ×（２×１０９年×９．４６×１０１５ｍ）＝６．３×１０１６
１億光年の銀河からの光が青色で見える場合。
たどり着く光子のエネルギー＝Ｋｍ×ａＪ÷（２×距離）
４．４４×１０−３５Ｊ＝Ｋｍ×１０−２７Ｊ÷（２×１０８年×９．４６×１０１５ｍ）
Ｋ＝４．４４×１０−３５Ｊ÷１０−２７Ｊ×（２×１０８年×９．４６×１０１５ｍ）＝８．４×１０１６
これを表にする。
2008104347.tif 000018
Ｋ＝１０１６としますと、
１００億光年のクエーサーから出発する光子のエネルギーは、４．９２×１０−２５Ｊです。
１０億光年の銀河から出発する光子のエネルギーは、６．３×１０−２６Ｊです。
１億光年の銀河から出発する光子のエネルギーは、８．４×１０−２７Ｊです。
Ｋ＝２×１０１６としますと、
１００億光年のクエーサーから出発する光子のエネルギーは、２．４６×１０−２５Ｊです。
１０億光年の銀河から出発する光子のエネルギーは、３．１５×１０−２６Ｊです。
１億光年の銀河から出発する光子のエネルギーは、４．２×１０−２７Ｊです。
Ｋ＝２×１０１６としますと、
たどり着く光子のエネルギー＝Ｋｍ×ａＪ÷（２×距離）＝２×１０１６ｍ×ａＪ÷（２×距離）
この式は、
たどり着く光子のエネルギー＝Ｋｍ×ａＪ÷（２×距離）＝２×１０８ｍ×ａＪ÷（２×距離）
の１０８倍です。
この事によって何が理解できるか。
１、１００億光年でできた光子、１０億光年でできた光子、１億光年でできた光子は、軌道が小さいので、磁気の光子のエネルギーが大きいため、電気の光子は１０８個で１束になっている。
２、Ｋの値によって、１束の光子の数が理解できる。
【請求項９】
背景放射の場合はどのようになっているのか。背景放射の場合のＫはいくらか。
たどり着く光子の軌道エネルギー＝Ｋｍ×出発した軌道エネルギー÷（２×距離）
ａＪ＝ビッグバンの光子の軌道エネルギーは８．６６５×１０−２４Ｊｍです。
地上にたどり着く背景放射の軌道エネルギーは３．７６９１７×１０−２６Ｊｍです。
背景放射は１３７億光年走っています。
それでは、背景放射の場合のＫはいくらか。
たどり着く光子のエネルギー＝Ｋｍ×ａＪ÷（２×距離）＝Ｋｍ×８．６６５×１０−２４Ｊｍ÷（２×１３７×１０８×９．４６×１０１５ｍ）＝３．７６９１７×１０−２６Ｊｍ
Ｋｍ＝３．７６９１７×１０−２６Ｊｍ÷（８．６６５×１０−２４Ｊｍ）×２×１３７×１０８×９．４６×１０１５ｍ＝１．１２７×１０２４ｍ
背景放射のＫは１．１２７×１０２４です。
背景放射のＫは、光子のＫ＝２×１０８の何倍か。
１．１２７×１０２４÷（２×１０８）＝５．６３５×１０１５倍です。
ビッグバンで放出した光子の軌道エネルギーは、地表の光子の軌道エネルギーの何倍か。
８．６６５×１０−２４Ｊｍ÷（１．２３３×１０−４１Ｊｍ）＝７．０２８×１０１７  ７．０２８×１０１７倍です。
宇宙背景放射の光子の軌道エネルギーは、地表の光子の軌道エネルギーの何倍か。
３．７６９１７×１０−２６Ｊｍ÷（１．２３３×１０−４１Ｊｍ）＝３．０５７×１０１５  ３．０５７×１０１５倍です。
それで、ビッグバンで放出した光子の軌道が、地表の光子の軌道と同じである場合、ビッグバンで放出した光子のエネルギーは、地表の光子のエネルギーの７．０２８×１０１７倍です。
背景放射の光子の軌道が、地表の光子の軌道と同じである場合、背景放射の光子のエネルギーは、地表の光子のエネルギーの３．０５７×１０１５倍です。
よって、背景放射の光子の１個は、地表の光子が３×１０１５個束になっているエネルギーと同じです。ビッグバンの光子の１個は、地表の光子が７×１０１７個束になっているエネルギーと同じです。
これを表にします。
2008104347.tif 000019
2008104347.tif 000020
この事から理解できる事は何か。
１、背景放射の１個の光子のエネルギーは、５．６３５×１０１５個の光子のエネルギーに等しい。
２、ビッグバンの１個の光子のエネルギーは、７．０２８×１０１７個の光子のエネルギーに等しい。
【請求項１０】
たどり着く光子のエネルギー＝Ｋｍ×ａＪ÷（２×走った距離）の式のまとめと、減少率はどのようであるか。
2008104347.tif 000021
この事によって何が理解できるか。
１、１束の光子数が多い光子ほど、光子のエネルギーの減少率は小さい。
２、光子のエネルギーの減少率は、１束の光子の数×１０９に反比例する。
３、光子の軌道が小さいほど、１束の光子数は多く、かつ、エネルギーの減少率は小さい。
４、背景放射の場合は、１個の光子のエネルギーが１０１６個の光子のエネルギーである。
【請求項１１】
宇宙の時代を、電子のラブの公転軌道により表現した。この事は、宇宙の時代をＡ（地表のエネルギーを１とした時のエネルギー）でも表現できることを示す。
ブラックホールの素子の時代、電子のラブの公転軌道は１０−１６ｍでした。この時代を１０−１６ｍの時代としました。
１．０５８×１０−１０ｍ÷Ａ＝１０−１６ｍ
Ａ＝１．０５８×１０−１０ｍ÷１０−１６ｍ＝１．０５８×１０６≒１０６
それで、１０−１６ｍの時代はＡ＝１０６の時代です。
このように、時代を電子のラブの公転軌道で表現でき、更に、Ａ（地表のエネルギーを１とした時のエネルギー）でも表現できます。
地表は、電子のラブの公転軌道は１０−１０ｍで、Ａ＝１です。
太陽の中心は、電子のラブの公転軌道は２．７３２×１０−１４ｍで、Ａ＝３．８７２×１０３です。
第１世代の星ができる場は、電子のラブの公転軌道は１０−１５ｍで、Ａ＝１０５です。
ブラックホールの素子の時代は、電子のラブの公転軌道は１０−１６ｍで、Ａ＝１０６です。
熱平衡状態に成った時代は、電子のラブの公転軌道は１０−１７ｍで、Ａ＝１０７です。
質量ができた時代は、電子のラブの公転軌道は１０−２０ｍで、Ａ＝１０１０です。
【請求項１２】
宇宙の時代をＡで表現すると、その時代のＡと１ｍ３の原子数（電子のラブと陽子のラブの数）の関係はどのようであるか。
Ａ３＝原子数（電子のラブと陽子のラブの数）
Ａ＝１０−１０ｍ÷電子のラブの公転軌道
これを表にする。但し、１０１０歳の場合、太陽の中心の電子のラブの公転軌道をこの時代の公転軌道として考えた。
2008104347.tif 000022
【請求項１３】
クエーサーはどのように銀河に変化したか。
これは、「請求項１」に至った考えです。
銀河系を中心に考える。
クエーサーには星ができ銀河系の中央部に成った。
ジェットが届く距離にも星ができ、銀河系の腕に成った。
銀河系の中心のブラックホールは、太陽の質量の１０６倍です。
それで、クエーサーだった時のクエーサーの中心の質量は、太陽の質量の１０６＋２＝１０８倍です。
クエーサーの大きさは、１．８３９×１０１４ｍから、３０００光年（２．８３８×１０１９ｍ）になった。
２×ジェットが届く距離は、２×３．０６５×１０１５ｍから、１０万光年（９．４６×１０２０ｍ）になった。
１．５４３×１０５倍になった。
クエーサーは１．５４３×１０５倍に拡大し、銀河系になった。
【請求項１４】
クエーサーは１０５年間に何倍に拡大したか。
クエーサーは、１３６億年間で、１．８３９×１０１４ｍから、２．８３８×１０１９ｍに拡大した。
１０５年間にｘ倍拡大したとする。
１．８３９×１０１４ｍ×ｘ×１３６×１０８−５年＝２．８３８×１０１９ｍ
ｘ＝２．８３８×１０１９ｍ÷（１．８３９×１０１４ｍ×１３６×１０３年）＝１．１３５
クエーサーは、１０５年間に１．１３５倍に拡大した。
２×ジェットが届く距離は、１０５年間に１．１３５倍に拡大した。
１３６億年で何ｍになるか。２×ジェットが届く距離は、２×３．０６５×１０１５ｍです。
２×３．０６５×１０１５ｍ×１．１３５×１３６×１０８−５年＝９．４６×１０２０ｍ
よって、クエーサーやジェットが届いた距離は、１０５年間に１．１３５倍に拡大した。
【請求項１５】
現在、宇宙の形はどのようになっているか。
クエーサーは、球形のまま拡大し、銀河の中心に球形として存在する。
この事は、宇宙も球形のまま拡大し、現在の宇宙に成っている。
宇宙の形は球形である。
【請求項１６】
地球までの宇宙の半径はいくらか。
１０−１７ｍの時代までは光速で走った。
１０−１６ｍの時代にクエーサーができた。
クエーサーまでは１００億光年である。
クエーサーまでの距離＝１０１０×９．４６×１０１５ｍ＝９．４６×１０２５ｍ
これを、１３６億年で走った。平均の秒速をｘとする。
１３６×１０８×３６５×２４×６０×６０×ｘｍ＝９．４６×１０２５ｍ
ｘ＝２．１×１０７ｍ
１３６億年間、平均秒速２．１×１０７ｍで走った。
クエーサーができるまでは光速で走った。
ビッグバンからクエーサーまでの距離は、
３×１０８ｍ×１億年＝３×１０８ｍ×１０８×３６５×２４×６０×６０＝９．４６×１０２３ｍ
合計の距離は、
９．４６×１０２３ｍ＋９．４６×１０２５ｍ＝９．５５４６×１０２５ｍ
よって、地球までの宇宙の半径は９．５５４６×１０２５ｍです。
【発明の詳細な説明】
【技術分野】
【０００１】  この発明は、クエーサーから噴出したジェットが届く距離と銀河系の関係、クエーサーと銀河系の関係、クエーサーの大きさ、背景放射、たどり着く光子のエネルギーと出発するエネルギーの式、走った光子のエネルギーの減少率、宇宙の場をＡ（地表のエネルギーの何倍かを示す数）として表す事、Ａと１ｍ３の原子数（電子のラブと陽子のラブの数）の関係、宇宙の形、に関する。
【背景技術】
【０００２】  銀河系の形とクエーサーの形の関係については理解されていない。背景放射がどの方向からもやってくる。その理由については理解されていない。たどり着く光子のエネルギーと出発する光子のエネルギーの式について次の４種類に分けて考える。
▲１▼星から出発する場合。▲２▼星の中央から出発する場合。▲３▼１００億光年から１億光年のクエーサーや銀河から出発する場合。▲４▼ビッグバンで出発し、現在背景放射となってたどり着く場合。
それらの光子の減少率については理解されていない。その理由についても理解されていない。宇宙の場をＡ（地表のエネルギーの何倍かを示す数）として表す事については理解されていない。Ａと１ｍ３の原子数（電子のラブと陽子のラブの数）の関係については理解されていない。
【発明の開示】
▲１▼宇宙の形はどのようになっているのだろうか。
▲２▼現在の銀河系はどのようにしてクエーサーから変わったのか。
▲３▼現在の銀河系の中心は、クエーサーが変化したものである。
▲４▼銀河系の腕は、クエーサーから噴出したジェットが当ってできた星星である。
▲５▼クエーサーは３０００光年の大きさになった。
▲６▼ジェットが届いた部分は１０万光年の大きさになった。
▲７▼ジェットが届いた部分は何倍に拡大したか。
▲８▼クエーサーも同じ倍率で拡大した。
▲９▼これにより、クエーサーの大きさはいくらだったかが理解できる。
▲１０▼クエーサーは球である。銀河系の中心も球である。この事から宇宙の形も現在球である事が理解できた。
▲１１▼クエーサーの大きさは数日で１自転するおおきさです。この事からジェトガ届いた距離が解る。
▲１２▼ジェットが届いた距離が解ると、その場の１ｍ３の原子数（電子のラブと陽子のラブの数）が一定であるか、そうでないかが判る。
【発明が解決しようとする課題】
【０００３】１．クエーサーの大きさはいくらであったか。クエーサーが１回転する時、何日かかるか。
２．ブラックホールのＡは７．３７８×１０５で、ジェットは半径１．１２６×１０１１Ｋｍまで届きます。
このジェットによってできるクエーサーの大きさはいくらか。そのクエーサーが１自転するときの日数はいくらか。
３．どうして背景放射はどの方向からもやってくるのか。
４．たどり着く光子のエネルギー＝２×１０８×出発する光子のエネルギー÷（２×走った距離）の式は光子のエネルギーの減少率を示す。これを宇宙背景放射によって確認する。
５．たどり着く光子のエネルギー＝Ｋｍ×ａＪ÷（２×走った距離）。ａＪ＝出発した光子のエネルギーとＫについて。
６．地表に可視光でたどり着く場合、走った距離と出発した光子のエネルギーと軌道はどれ位か。
７．クエーサーから出発した光子のエネルギーは、どのようであるか。
８．地表から１００億光年、１０億光年、１億光年の場から出発する光子のエネルギーと地表にたどり着く時のエネルギーはどのように求められるか。
９．背景放射の場合はどのようになっているのか。背景放射の場合のＫはいくらか。
１０．たどり着く光子のエネルギー＝Ｋｍ×ａＪ÷（２×走った距離）の式のまとめと、減少率はどのようであるか。
１１．宇宙の時代を、電子のラブの公転軌道により表現した。この事は、宇宙の時代をＡ（地表のエネルギーを１とした時のエネルギー）でも表現できることを示す。
１２．宇宙の時代をＡで表現すると、その時代のＡと１ｍ３の原子数（電子のラブと陽子のラブの数）の関係はどのようであるか。
１３．クエーサーはどのように銀河に変化したか。
１４．クエーサーは１０５年間に何倍に拡大したか。
１５．現在、宇宙の形はどのようになっているか。
１６．地球までの宇宙の半径はいくらか。
【発明を解決するための手段】
【０００４】  背景放射は、ビッグバンでできた光子が、クエーサーができた時、中央のブラックホールに引かれ、クエーサーの周囲を回転したものです。
そして、エネルギーを減少させ現在、地表にたどり着いている。
たどり着く光子のエネルギー＝Ｋｍ×ａＪ÷（２×走った距離）の式よりＫを求める。
エネルギーの減少は、
たどり着く光子のエネルギー＝ａＪ÷｛２×走った距離÷（Ｋ×１０）｝×０．１  で、１０×Ｋｍ走るとエネルギーは１／１０になる。
【発明の実施態様】
【０００５】１．クエーサーの大きさはいくらであったか。クエーサーが１回転する時、何日かかるか。
渦巻銀河の腕は、クエーサーが銀河に成った時、ジェットの届く所にできた星の集団です。
渦巻銀河の腕の大きさは、銀河の直径です。
即ち、銀河の直径は、クエーサーができた時、ジェットが届いた所です。
銀河の中央部の厚くなっている部分は、クエーサーであった部分です。
銀河の直径を１０万光年とします。
銀河の厚くなった部分の長さを３０００光年とします。
２００７年８月２５日に提出した特許願いの「請求項２６」から、クエーサーの中心部分の質量とジェットが届く距離が解ります。
2008104347.tif 000003
クエーサーの大きさ：２×ジェットが届く距離はいくらか。
クエーサーの大きさ：２×ジェットが届く距離は、銀河の厚くなった部分の長さ：銀河の直径です。
銀河の厚くなった部分の長さ：銀河の直径＝３０００光年：１０５光年＝１：３３．３３
それで、クエーサーの大きさ：２×ジェットが届く距離は１：３３．３３です。
クエーサーの大きさ：２×ジェットが届く距離＝１：３３．３３
クエーサーの大きさ＝２×ジェットが届く距離÷３３．３３＝ジェットが届く距離×０．０６
クエーサーの大きさ＝ジェットが届く距離×０．０６
▲１▼クエーサーの中心部の質量が太陽の１０４倍の場合。
・クエーサーの大きさはいくらか。
ジェットが届く距離は１．３１０×１０１４ｍですから、
クエーサーの大きさ＝１．３１０×１０１４ｍ×０．０６＝７．８６×１０１２ｍ
クエーサーの大きさは７．８６×１０１２ｍです。
・クエーサーが１回転する時、何日かかるか。
クエーサーの自転する秒速を３×１０８ｍとする。
７．８６×１０１２ｍ×３．１４÷（３×１０８ｍ×２４×６０×６０）＝９．５２２×１０−１
クエーサーが１回転すると、０．９５日かかる。
・クエーサーは何倍に拡大したか。２×ジェットが届いた距離は何倍に拡大したか。
クエーサーは、３０００光年になったので、
３０００光年÷（７．８６×１０１２ｍ）＝３０００×９．４６×１０１５ｍ÷（７．８６×１０１２ｍ）＝３．６１１×１０６倍に拡大した。
２×ジェットが届いた距離は、銀河の直径になったので、
１０５光年÷（２×１．３１０×１０１４ｍ）＝１０５×９．４６×１０１５ｍ÷（２×１．３１０×１０１４ｍ）＝３．６１１×１０６倍に拡大した。
▲２▼クエーサーの中心部の質量が太陽の１０５倍の場合。
・クエーサーの大きさはいくらか。
ジェットが届く距離は３．０６５×１０１４ｍですから、
クエーサーの大きさ＝３．０６５×１０１４ｍ×０．０６＝１．８３９×１０１３ｍ
クエーサーの大きさは１．８３９×１０１３ｍです。
・クエーサーが１回転する時、何日かかるか。
クエーサーの自転する秒速を３×１０８ｍとする。
１．８３９×１０１３ｍ×３．１４÷（３×１０８ｍ×２４×６０×６０）＝２．２２８
クエーサーが１回転すると、２．２日かかる。
・クエーサーは何倍に拡大したか。２×ジェットが届いた距離は何倍に拡大したか。
クエーサーは、３０００光年になったので、
３０００光年÷（１．８３９×１０１３ｍ）＝３０００×９．４６×１０１５ｍ÷（１．８３９×１０１３ｍ）＝１．５４３×１０６倍に拡大した。
２×ジェットが届いた距離は、銀河の直径になったので、
１０５光年÷（２×３．０６５×１０１４ｍ）＝１０５×９．４６×１０１５ｍ÷（２×３．０６５×１０１４ｍ）＝１．５４３×１０６倍に拡大した。
▲３▼クエーサーの中心部の質量が太陽の１０６倍の場合。
・クエーサーの大きさはいくらか。
ジェットが届く距離は６．６×１０１４ｍですから、
クエーサーの大きさ＝６．６×１０１４ｍ×０．０６＝３．９６×１０１３ｍ
クエーサーの大きさは３．９６×１０１３ｍです。
・クエーサーが１回転する時、何日かかるか。
クエーサーの自転する秒速を３×１０８ｍとする。
３．９６×１０１３ｍ×３．１４÷（３×１０８ｍ×２４×６０×６０）＝４．７９７
クエーサーが１回転すると、４．８日かかる。
・クエーサーは何倍に拡大したか。２×ジェットが届いた距離は何倍に拡大したか。
クエーサーは、３０００光年になったので、
３０００光年÷（３．９６×１０１３ｍ）＝３０００×９．４６×１０１５ｍ÷（３．９６×１０１３ｍ）＝７．１６７×１０５倍に拡大した。
２×ジェットが届いた距離は、銀河の直径になったので、
１０５光年÷（２×６．６×１０１４ｍ）＝１０５×９．４６×１０１５ｍ÷（２×６．６×１０１４ｍ）＝７．１６７×１０５倍に拡大した。
▲４▼クエーサーの中心部の質量が太陽の１０７倍の場合。
・クエーサーの大きさはいくらか。
ジェットが届く距離は１．４２２×１０１５ｍですから、
クエーサーの大きさ＝１．４２２×１０１５ｍ×０．０６＝８．５３２×１０１３ｍ
クエーサーの大きさは８．５３２×１０１３ｍです。
・クエーサーが１回転する時、何日かかるか。
クエーサーの自転する秒速を３×１０８ｍとする。
８．５３２×１０１３ｍ×３．１４÷（３×１０８ｍ×２４×６０×６０）＝１．０３４×１０
クエーサーが１回転すると、１０日かかる。
・クエーサーは何倍に拡大したか。２×ジェットが届いた距離は何倍に拡大したか。
クエーサーは、３０００光年になったので、
３０００光年÷（８．５３２×１０１３ｍ）＝３０００×９．４６×１０１５ｍ÷（８．５３２×１０１３ｍ）＝３．３２６×１０５倍に拡大した。
２×ジェットが届いた距離は、銀河の直径になったので、
１０５光年÷（２×１．４２２×１０１５ｍ）＝１０５×９．４６×１０１５ｍ÷（２×１．４２２×１０１５ｍ）＝３．３２６×１０５倍に拡大した。
▲５▼クエーサーの中心部の質量が太陽の１０８倍の場合。
・クエーサーの大きさはいくらか。
ジェットが届く距離は３．０６５×１０１５ｍですから、
クエーサーの大きさ＝３．０６５×１０１５ｍ×０．０６＝１．８３９×１０１４ｍ
クエーサーの大きさは１．８３９×１０１４ｍです。
・クエーサーが１回転する時、何日かかるか。
クエーサーの自転する秒速を３×１０８ｍとする。
１．８３９×１０１４ｍ×３．１４÷（３×１０８ｍ×２４×６０×６０）＝２．２２８×１０
クエーサーが１回転すると、２２日かかる。
・クエーサーは何倍に拡大したか。２×ジェットが届いた距離は何倍に拡大したか。
クエーサーは、３０００光年になったので、
３０００光年÷（１．８３９×１０１４ｍ）＝３０００×９．４６×１０１５ｍ÷（１．８３９×１０１４ｍ）＝１．５４３×１０５倍に拡大した。
２×ジェットが届いた距離は、銀河の直径になったので、
１０５光年÷（２×３．０６５×１０１５ｍ）＝１０５×９．４６×１０１５ｍ÷（２×３．０６５×１０１５ｍ）＝１．５４３×１０５倍に拡大した。
▲６▼クエーサーの中心部の質量が太陽の１０９倍の場合。
・クエーサーの大きさはいくらか。
ジェットが届く距離は６．６×１０１５ｍですから、
クエーサーの大きさ＝６．６×１０１５ｍ×０．０６＝３．９６×１０１４ｍ
クエーサーの大きさは３．９６×１０１４ｍです。
・クエーサーが１回転する時、何日かかるか。
クエーサーの自転する秒速を３×１０８ｍとする。
３．９６×１０１４ｍ×３．１４÷（３×１０８ｍ×２４×６０×６０）＝４．７９７×１０
クエーサーが１回転すると、４８日かかる。
・クエーサーは何倍に拡大したか。２×ジェットが届いた距離は何倍に拡大したか。
クエーサーは、３０００光年になったので、
３０００光年÷（３．９６×１０１４ｍ）＝３０００×９．４６×１０１５ｍ÷（３．９６×１０１４ｍ）＝７．１６７×１０４倍に拡大した。
２×ジェットが届いた距離は、銀河の直径になったので、
１０５光年÷（２×６．６×１０１５ｍ）＝１０５×９．４６×１０１５ｍ÷（２×６．６×１０１５ｍ）＝７．１６７×１０４倍に拡大した。
まとめて表にする。
2008104347.tif 000004
この事によって、何が理解できるか。
１、クエーサーの１自転は数日であるといいます。この場合、中心の質量が太陽の１０６倍のクエーサーです。
２、銀河系の中心のブラックホールは太陽の質量の１０６倍であるから、クエーサーの中心部の質量は太陽の１０６＋２＝１０８倍であり、クエーサーは、１．５４３×１０５倍に拡大し銀河系になった。
３、クエーサーの１自転が数日である事によって、ジェットの届く距離は正しい。
４、ジェットの届く距離＝太陽の赤道半径×８４９×クエーサーや銀河の中心のＡ÷太陽の中心のＡ＝６．９６×１０５Ｋｍ×８４９×クエーサーや銀河の中心のＡ÷（３．８７２×１０３）＝１．５２６×１０５Ｋｍ×クエーサーや銀河の中心のＡ
この式は正しい。これは、２００７年８月２５日に提出した特許願の「請求項２４」に記した。
５、中心部が太陽の質量のβ倍のクエーサーの場合、
クエーサーの中心のＡ＝４．３２５×１０４×β１／３
この式は正しい。これは、２００７年８月２５日に提出した特許願の「請求項２２」に記した。
２．ブラックホールのＡは７．３７８×１０５で、ジェットは半径１．１２６×１０１１Ｋｍまで届きます。
このジェットによってできるクエーサーの大きさはいくらか。そのクエーサーが１自転するときの日数はいくらか。
クエーサーの大きさ＝２×ジェットが届く距離÷３３．３＝ジェットが届く距離×０．０６＝１．１２６×１０１１Ｋｍ×０．０６＝６．７５６×１０９Ｋｍ＝６．７５６×１０１２ｍ
クエーサーの大きさは、直径６．７５６×１０１２ｍです。
このクエーサーが１回自転するときの日数はいくらか。自転する秒速を３×１０８ｍとする。
３．１４×６．７５６×１０１２ｍ÷（３×１０８ｍ×２４×６０×６０）＝８．１８４×１０−１（日）
クエーサーが１回自転するときの日数は、０．８１８日です。
この事によって何が理解できるか。
１、クエーサーの大きさは数日で１自転する。しかし、ブラックホールのジェットでできるクエーサーは０．８１８日で１自転する大きさです。
２、この事は、クエーサーはブラックホールのジェットが届く半径１．１２６×１０１１Ｋｍまでの範囲がクエーサーに成ったのではない。もっと大きい範囲がクエーサーに成った。
３、クエーサーができた時、宇宙の原子密度（その時は原子として存在せず、電子のラブと陽子のラブは単独で存在した。）は均一であった。
４、しかし、クエーサーの大きさが異なるのは、クエーサーができた場のエネルギーが異なるためである。
３．どうして背景放射はどの方向からもやってくるのか。
もし、ビッグバンで出発した光子が一定方向に進んでいるならば、地球にたどり着く背景放射は一定方向からやってくるはずです。
しかし、背景放射はあらゆる方向からやってきます。
この事は、背景放射はランダムに走っているということです。
背景放射は、銀河系をランダムに走っている。
クエーサーができた時、ビッグバンでできた光子はクエーサーのまわりを回転した。
１０−１６ｍの時代に、クエーサーはできました。クエーサーの中心はブラックホールでした。
ブラックホールは光子をも引きつけました。ビッグバンでできた光子はクエーサーの周りを回転しました。現在、ビッグバンでできた光子は、銀河系の周囲をランダムに回転しています。これが現在、エネルギーを弱め、背景放射として地球にたどり着いています。
４．たどり着く光子のエネルギー＝２×１０８×出発する光子のエネルギー÷（２×走った距離）の式は光子のエネルギーの減少率を示す。これを宇宙背景放射によって確認する。
背景放射は、ビッグバンの時できた光子です。
宇宙背景放射の波長は２×１０−３ｍで、温度は２．７３Ｋです。
この軌道エネルギーはいくらか。
軌道は、２×１０−３ｍ÷２＝１０−３ｍです。エネルギーは、２．７３Ｋ＝２．７３×１．３８０６５×１０−２３Ｊ＝３．７６９１７×１０−２３Ｊです。
それで、宇宙背景放射の光子の軌道エネルギーは、
１０−３ｍ×３．７６９１７×１０−２３Ｊ＝３．７６９１７×１０−２６Ｊｍです。
宇宙背景放射の光子の軌道エネルギーは、ラブの軌道エネルギーが弱まったものです。
どれ位弱まったか。
３．７６９１７×１０−２６Ｊｍ÷（８．６６５×１０−２４Ｊｍ）＝４．３５×１０−３倍に弱まった。
これは、１３７億光年の距離を走り続けているうち、光子の軌道エネルギーは衰弱したのです。
ビッグバンで放出した光子の軌道エネルギーは、地表の光子の軌道エネルギーの何倍か。
８．６６５×１０−２４Ｊｍ÷（１．２３３×１０−４１Ｊｍ）＝７．０２８×１０１７  ７．０２８×１０１７倍です。
宇宙背景放射の光子の軌道エネルギーは、地表の光子の軌道エネルギーの何倍か。
３．７６９１７×１０−２６Ｊｍ÷（１．２３３×１０−４１Ｊｍ）＝３．０５７×１０１５  ３．０５７×１０１５倍です。
もし、背景放射の光子が走り続けているならば、光子のエネルギーは、太陽から出発する光子のように減少するはずです。
そのエネルギーは、
たどり着く光子のエネルギー＝２×１０８×出発する光子のエネルギー÷（２×走った距離）です。
この式は、２００４年６月１１日に提出した特願２００４−２０２４９６に記した。
この式によって、背景放射がたどり着くエネルギーを算出する。
軌道エネルギーの減少分はエネルギーの減少分です。
このことは、２００７年５月１０日に提出した特願２００７−１５０９５９の「請求項１」に記した。
走った距離を、光速×１３７億年とする。
走った距離＝１．３７×１０１０×３×１０８ｍ×３６５×２４×６０×６０＝１．２９６×１０２６ｍ
たどり着く光子のエネルギー＝２×１０８×出発する光子のエネルギー÷（２×走った距離）＝２×１０８×出発する光子のエネルギー÷（２×１．２９６×１０２６ｍ）＝７．７１６×１０−１９×出発する光子のエネルギー
この事をどのように理解したらよいのか。
地表の光子の場合、たどり着く光子のエネルギーは出発する光子のエネルギーの７．７１６×１０−１９倍に成る。
しかし、ビッグバンで放出した光子の軌道エネルギーは、地表の光子の軌道エネルギーの７．０２８×１０１７倍ですから、
たどり着く光子のエネルギー＝出発する光子のエネルギー×７．７１６×１０−１９＝７．０２８×１０１７倍×７．７１６×１０−１９＝５．４２３×１０−１倍
たどり着く光子のエネルギーは５．４２３×１０−１倍に成る。
宇宙背景放射の光子の軌道エネルギーは、ビッグバンで放出した光子の軌道エネルギーの４．３５×１０−３倍に弱まった。
５．４２３×１０−１倍÷（４．３５×１０−３倍）＝１．２４７×１０２
ビッグバンで光子のエネルギーは約１００分の１になり、その後走っているうち、徐々にエネルギーを減少する。
このように考えると、
たどり着く光子のエネルギー＝２×１０８×出発する光子のエネルギー÷（２×走った距離）の式は正しい。
たどり着く光子のエネルギー＝２×１０８×出発する光子のエネルギー÷（２×走った距離）の式は光子のエネルギーの減少率を示す。
たどり着く光子のエネルギー＝２×１０８×出発する光子のエネルギー÷（２×走った距離）＝出発するエネルギー÷（走った距離÷１０９）×０．１
光子は１０９ｍ走ると、エネルギーを１／１０にする。
５．たどり着く光子のエネルギー＝Ｋｍ×ａＪ÷（２×走った距離）。ａＪ＝出発した光子のエネルギーとＫについて。
この式は、２００４年６月１１日に提出した特願２００４−２０２４９６に記した。
たどり着く光子のエネルギー＝Ｋｍ×ａＪ÷（２×走った距離）
地表にたどり着く光子について。
地表にたどり着く光子のエネルギーは、６．６７×１０−３５Ｊで、軌道は１．８５×１０−７ｍで、波長は３．７×１０−７ｍとします。
この理由は、太陽からたどり着く光子が、物質の中に吸収され、物質の表面から、物質の表面の分子の軌道の光子が放出する。この放出する光子を目は受ける。
それで、太陽からたどり着く光子の軌道は、紫色より小さな軌道です。
紫色の波長は３．８×１０−７ｍが最小ですから、これよりも小さい波長である３．７×１０−７ｍを、太陽から地表にたどり着く光子とする。
▲１▼星の表面から出発する光子の場合。
太陽の場合。太陽の表面から出発した電気の光子の軌道は１０−１０ｍとします。エネルギーは１０−３１Ｊです。
ＡＪは星の表面から出発した電気の光子のエネルギーです。
Ｋの値は、
たどり着く光子のエネルギー＝Ｋｍ×ａＪ÷（２×走った距離）＝Ｋ×１０−３１Ｊ÷（２×１．５×１０１１ｍ）＝６．６７×１０−３５Ｊ
Ｋ＝６．６７×１０−３５Ｊ÷１０−３１Ｊ×（２×１．５×１０１１ｍ）＝２×１０８ｍ
Ｋ＝２×１０８ｍ
Ｋｍ＝２×１０８ｍの場合、ａＪは星の表面から出発する光子のエネルギーです。
▲２▼星の中心から出発する光子の場合。
中心の軌道エネルギーを、１クーロンの１／２乗ｍ×ａＪとします。
ａＪは、星の中心から出発する光子のエネルギーです。
たどり着く光子のエネルギー＝Ｋｍ×ａＪ÷（２×走った距離）＝（９×１０９）１／２ｍ×ａＪ÷（２×走った距離）＝９．４８７×１０４ｍ×ａＪ÷（２×走った距離）＝９．４８７×１０４ｍ×ａＪ÷（２×１．５×１０１１ｍ）＝６．６７×１０−３５Ｊ
ａＪ＝６．６７×１０−３５Ｊ÷（９．４８７×１０４ｍ）×２×１．５×１０１１ｍ＝２．０８７×１０−２８Ｊ
この軌道は、１０−４１Ｊｍ÷（２．０８７×１０−２８Ｊ）＝４．７９×１０−１４ｍです。
ｃｆ：太陽（星）の中心は、核融合が行われる軌道で、Ａ＝３．８７２×１０３です。
太陽の中心の軌道は、１．０５８×１０−１０ｍ÷（３．８７２×１０３）＝２．７３２×１０−１４ｍです。
この軌道の電気の光子のエネルギーは、１０−４１Ｊｍ÷（２．７３２×１０−１４ｍ）＝３．６６×１０−２８Ｊです。
よって、Ｋ＝（９×１０９）１／２＝９．４８７×１０４は妥当な値です。
Ｋｍ＝（９×１０９）１／２ｍ＝９．４８７×１０４ｍの場合、ａＪは星の中心を出発する電気の光子のエネルギーである。これは、ニュートリノのエネルギーです。
６．地表に可視光でたどり着く場合、走った距離と出発した光子のエネルギーと軌道はどれ位か。
・出発した光子のエネルギーと軌道はどれ位か。
ａＪは星の表面を出発する光子のエネルギーである。よって、Ｋｍ＝２×１０８ｍです。
たどり着く光子のエネルギー＝Ｋｍ×ａＪ÷（２×走った距離）＝２×１０８ｍ×ａＪ÷（２×走った距離）＝１０８ｍ×ａＪ÷走った距離＝６．６７×１０−３５Ｊ
ａＪ＝６．６７×１０−３５Ｊ×走った距離÷１０８ｍ＝６．６７×１０−４３ｍ×走った距離
出発した光子の軌道は、
１０−４１Ｊｍ÷光子のエネルギー＝１０−４１Ｊｍ÷（６．６７×１０−４３ｍ×走った距離）＝１．５×１０÷走った距離
よって、
出発した光子のエネルギーは、６．６７×１０−４３ｍ×走った距離  です。
出発した光子の軌道は、１５÷走った距離  です。
・宇宙の場を出発した光子が、地表に６．６７×１０−３５Ｊでたどり着く場合、出発した光子のエネルギーと軌道はいくらか。
太陽は、走った距離が１．５×１０１１ｍですから、
出発した光子のエネルギー＝６．６７×１０−４３ｍ×走った距離＝６．６７×１０−４３ｍ×１．５×１０１１ｍ＝１０−３１Ｊ
軌道＝１０−４１Ｊｍ÷１０−３１Ｊ＝１０−１０ｍ
または、出発した光子の軌道＝１５÷走った距離＝１５÷（１．５×１０１１ｍ）＝１０−１０ｍ
太陽を出発した光子のエネルギーは１０−３１Ｊで、軌道は１０−１０ｍです。
１光年は、走った距離が９．４６×１０１５ｍですから、
出発した光子のエネルギー＝６．６７×１０−４３ｍ×９．４６×１０１５ｍ＝６．３１×１０−２７Ｊ
この軌道は、１０−４１Ｊｍ÷（６．３１×１０−２７Ｊ）＝１．５８５×１０−１５ｍ
出発した光子のエネルギーは６．３１×１０−２７Ｊで、軌道は１．５８５×１０−１５ｍです。
１光年の場を出発した光子のエネルギーは６．３１×１０−２７Ｊで、軌道は１．５８５×１０−１５ｍです。
１０光年の場を出発した光子のエネルギーは６．３１×１０−２６Ｊで、軌道は１．５８５×１０−１６ｍです。
１００光年の場を出発した光子のエネルギーは６．３１×１０−２５Ｊで、軌道は１．５８５×１０−１７ｍです。
１０３光年の場を出発した光子のエネルギーは６．３１×１０−２４Ｊで、軌道は１．５８５×１０−１８ｍです。
１０４光年の場を出発した光子のエネルギーは６．３１×１０−２３Ｊで、軌道は１．５８５×１０−１９ｍです。
１０５光年の場を出発した光子のエネルギーは６．３１×１０−２２Ｊで、軌道は１．５８５×１０−２０ｍです。
１０６光年の場を出発した光子のエネルギーは６．３１×１０−２１Ｊで、軌道は１．５８５×１０−２１ｍです。
１０７光年の場を出発した光子のエネルギーは６．３１×１０−２０Ｊで、軌道は１．５８５×１０−２２ｍです。
１０８光年の場を出発した光子のエネルギーは６．３１×１０−１９Ｊで、軌道は１．５８５×１０−２３ｍです。
１０９光年の場を出発した光子のエネルギーは６．３１×１０−１８Ｊで、軌道は１．５８５×１０−２４ｍです。
１０１０光年の場を出発した光子のエネルギーは６．３１×１０−１７で、軌道は１．５８５×１０−２５ｍです。
これを表にします。
2008104347.tif 000005
７．クエーサーから出発した光子のエネルギーは、どのようであるか。
クエーサーの光子は１０１０光年の場から出発します。この光子が可視光として到着するためには、光子のエネルギーは６．３１×１０−１７Ｊでなければいけません。
しかし、この場は、電子のラブの公転軌道は１０−１６ｍですから、１公転でできる電気の光子の軌道は１０−１６ｍです。
１０−１６ｍの場の電気の光子１個のエネルギーは、
１０−４１Ｊｍ÷１０−１６ｍ＝１０−２５Ｊ
６．３１×１０−１７Ｊに成るためには何個の電気の光子が集まらなければ成らないか。
６．３１×１０−１７Ｊ÷１０−２５Ｊ＝６．３１×１０８個集まらなければ成らない。
それで、クエーサーから出発する電気の光子は、６．３１×１０８個集まって地表にたどり着き可視光と成っている。
もし、１０８個集まって走ってくるのであれば、そのエネルギーは、
１０−１５Ｊ×１０８＝１０−１７Ｊです。
６．３１×１０−１７Ｊで出発すると、６．６７×１０−３５Ｊに成りたどり着くのですから、１０−１７Ｊで出発すると、
６．６７×１０−３５Ｊ÷６．３１＝１．０５７×１０−３５Ｊでたどり着きます。
この軌道は、１０−４１Ｊｍ÷（１．０５７×１０−３５Ｊ）＝９．４６１×１０−７ｍで、
この波長は、９．４６１×１０−７ｍ×２＝１．８９２×１０−６ｍです。
１．８９２×１０−６ｍの波長は、近赤外線です。
これを、望遠鏡で観察できます。
この事によって何が理解できるか。
クエーサーから出発する電気の光子は１０８個束になって走っている。
８．地表から１００億光年、１０億光年、１億光年の場から出発する光子のエネルギーと地表にたどり着く時のエネルギーはどのように求められるか。
・出発する光子のエネルギーについて。
１００億光年のクエーサーから出発する電気の光子の軌道は１０−１６ｍで、エネルギーは、１０−２５Ｊです。
１０億光年の銀河から出発する電気の光子の軌道は１０−１５ｍで、エネルギーは、１０−２６Ｊです。
１億光年の銀河から出発する電気の光子の軌道は１０−１４ｍで、エネルギーは、１０−２７Ｊです。
・たどり着く光子のエネルギーについて。
１００億光年のクエーサーの光が赤色に見えるとする。赤色の光子の波長を７．７×１０−７ｍとする。
赤色の光子の波長は７．７×１０−７ｍで、軌道は７．７×１０−７ｍ÷２＝３．８５×１０−７ｍです。このエネルギーは、１０−４１Ｊｍ÷（３．８５×１０−７ｍ）＝２．６×１０−３５Ｊです。
１０億光年の銀河の光が橙色に見えるとする。橙色の光子の波長を６×１０−７ｍとする。
橙色の光子の波長は６×１０−７ｍで、軌道は６×１０−７ｍ÷２＝３×１０−７ｍです。このエネルギーは、１０−４１Ｊｍ÷（３×１０−７ｍ）＝３．３３×１０−３５Ｊです。
１億光年の銀河の光が青色でたどり着くとする。青色の光子の波長を４．５×１０−７ｍとする。
青色の光子の波長は４．５×１０−７ｍで、軌道は４．５×１０−７ｍ÷２＝２．２５×１０−７ｍです。このエネルギーは、１０−４１Ｊｍ÷（２．２５×１０−７ｍ）＝４．４４×１０−３５Ｊです。
・たどり着く光子のエネルギーについて。
たどり着く光子のエネルギー＝Ｋｍ×ａＪ÷（２×距離）の式のＫはいくらになるか。
１００億光年のクエーサーからの光が赤色に見える場合。
たどり着く光子のエネルギー＝Ｋｍ×ａＪ÷（２×距離）
２．６×１０−３５Ｊ＝Ｋ×１０−２５Ｊ÷（２×１０１０年×９．４６×１０１５ｍ）
Ｋ＝２．６×１０−３５Ｊ÷１０−２５Ｊ×（２×１０１０年×９．４６×１０１５ｍ）＝４．９１９×１０１６
１０億光年の銀河からの光が橙色に見える場合。
たどり着く光子のエネルギー＝Ｋｍ×ａＪ÷（２×距離）
３．３３×１０−３５Ｊ＝Ｋｍ×１０−２６Ｊ÷（２×１０９年×９．４６×１０１５ｍ）
Ｋ＝３．３３×１０−３５Ｊ÷１０−２６Ｊ×（２×１０９年×９．４６×１０１５ｍ）＝６．３×１０１６
１億光年の銀河からの光が青色で見える場合。
たどり着く光子のエネルギー＝Ｋｍ×ａＪ÷（２×距離）
４．４４×１０−３５Ｊ＝Ｋｍ×１０−２７Ｊ÷（２×１０８年×９．４６×１０１５ｍ）
Ｋ＝４．４４×１０−３５Ｊ÷１０−２７Ｊ×（２×１０８年×９．４６×１０１５ｍ）＝８．４×１０１６
これを表にする。
2008104347.tif 000006
Ｋ＝１０１６としますと、
１００億光年のクエーサーから出発する光子のエネルギーは、４．９２×１０−２５Ｊです。
１０億光年の銀河から出発する光子のエネルギーは、６．３×１０−２６Ｊです。
１億光年の銀河から出発する光子のエネルギーは、８．４×１０−２７Ｊです。
Ｋ＝２×１０１６としますと、
１００億光年のクエーサーから出発する光子のエネルギーは、２．４６×１０−２５Ｊです。
１０億光年の銀河から出発する光子のエネルギーは、３．１５×１０−２６Ｊです。
１億光年の銀河から出発する光子のエネルギーは、４．２×１０−２７Ｊです。
Ｋ＝２×１０１６としますと、
たどり着く光子のエネルギー＝Ｋｍ×ａＪ÷（２×距離）＝２×１０１６ｍ×ａＪ÷（２×距離）
この式は、
たどり着く光子のエネルギー＝Ｋｍ×ａＪ÷（２×距離）＝２×１０８ｍ×ａＪ÷（２×距離）
の１０８倍です。
この事によって何が理解できるか。
１、１００億光年でできた光子、１０億光年でできた光子、１億光年でできた光子は、軌道が小さいので、磁気の光子のエネルギーが大きいため、電気の光子は１０８個で１束になっている。
２、Ｋの値によって、１束の光子の数が理解できる。
９．背景放射の場合はどのようになっているのか。背景放射の場合のＫはいくらか。
たどり着く光子の軌道エネルギー＝Ｋｍ×出発した軌道エネルギー÷（２×距離）
ａＪ＝ビッグバンの光子の軌道エネルギーは８．６６５×１０−２４Ｊｍです。
地上にたどり着く背景放射の軌道エネルギーは３．７６９１７×１０−２６Ｊｍです。
背景放射は１３７億光年走っています。
それでは、背景放射の場合のＫはいくらか。
たどり着く光子のエネルギー＝Ｋｍ×ａＪ÷（２×距離）＝Ｋｍ×８．６６５×１０−２４Ｊｍ÷（２×１３７×１０８×９．４６×１０１５ｍ）＝３．７６９１７×１０−２６Ｊｍ
Ｋｍ＝３．７６９１７×１０−２６Ｊｍ÷（８．６６５×１０−２４Ｊｍ）×２×１３７×１０８×９．４６×１０１５ｍ＝１．１２７×１０２４ｍ
背景放射のＫは１．１２７×１０２４です。
背景放射のＫは、光子のＫ＝２×１０８の何倍か。
１．１２７×１０２４÷（２×１０８）＝５．６３５×１０１５倍です。
ビッグバンで放出した光子の軌道エネルギーは、地表の光子の軌道エネルギーの何倍か。
８．６６５×１０−２４Ｊｍ÷（１．２３３×１０−４１Ｊｍ）＝７．０２８×１０１７  ７．０２８×１０１７倍です。
宇宙背景放射の光子の軌道エネルギーは、地表の光子の軌道エネルギーの何倍か。
３．７６９１７×１０−２６Ｊｍ÷（１．２３３×１０−４１Ｊｍ）＝３．０５７×１０１５  ３．０５７×１０１５倍です。
それで、ビッグバンで放出した光子の軌道が、地表の光子の軌道と同じである場合、ビッグバンで放出した光子のエネルギーは、地表の光子のエネルギーの７．０２８×１０１７倍です。
背景放射の光子の軌道が、地表の光子の軌道と同じである場合、背景放射の光子のエネルギーは、地表の光子のエネルギーの３．０５７×１０１５倍です。
よって、背景放射の光子の１個は、地表の光子が３×１０１５個束になっているエネルギーと同じです。ビッグバンの光子の１個は、地表の光子が７×１０１７個束になっているエネルギーと同じです。
これを表にします。
2008104347.tif 000007
2008104347.tif 000008
この事から理解できる事は何か。
１、背景放射の１個の光子のエネルギーは、５．６３５×１０１５個の光子のエネルギーに等しい。
２、ビッグバンの１個の光子のエネルギーは、７．０２８×１０１７個の光子のエネルギーに等しい。
１０．たどり着く光子のエネルギー＝Ｋｍ×ａＪ÷（２×走った距離）の式のまとめと、減少率はどのようであるか。
2008104347.tif 000009
この事によって何が理解できるか。
１、１束の光子数が多い光子ほど、光子のエネルギーの減少率は小さい。
２、光子のエネルギーの減少率は、１束の光子の数×１０９に反比例する。
３、光子の軌道が小さいほど、１束の光子数は多く、かつ、エネルギーの減少率は小さい。
４、背景放射の場合は、１個の光子のエネルギーが１０１６個の光子のエネルギーである。
１１．宇宙の時代を、電子のラブの公転軌道により表現した。この事は、宇宙の時代をＡ（地表のエネルギーを１とした時のエネルギー）でも表現できることを示す。
ブラックホールの素子の時代、電子のラブの公転軌道は１０−１６ｍでした。この時代を１０−１６ｍの時代としました。
１．０５８×１０−１０ｍ÷Ａ＝１０−１６ｍ
Ａ＝１．０５８×１０−１０ｍ÷１０−１６ｍ＝１．０５８×１０６≒１０６
それで、１０−１６ｍの時代はＡ＝１０６の時代です。
このように、時代を電子のラブの公転軌道で表現でき、更に、Ａ（地表のエネルギーを１とした時のエネルギー）でも表現できます。
地表は、電子のラブの公転軌道は１０−１０ｍで、Ａ＝１です。
太陽の中心は、電子のラブの公転軌道は２．７３２×１０−１４ｍで、Ａ＝３．８７２×１０３です。
第１世代の星ができる場は、電子のラブの公転軌道は１０−１５ｍで、Ａ＝１０５です。
ブラックホールの素子の時代は、電子のラブの公転軌道は１０−１６ｍで、Ａ＝１０６です。
熱平衡状態に成った時代は、電子のラブの公転軌道は１０−１７ｍで、Ａ＝１０７です。
質量ができた時代は、電子のラブの公転軌道は１０−２０ｍで、Ａ＝１０１０です。
１２．宇宙の時代をＡで表現すると、その時代のＡと１ｍ３の原子数（電子のラブと陽子のラブの数）の関係はどのようであるか。
Ａ３＝原子数（電子のラブと陽子のラブの数）
Ａ＝１０−１０ｍ÷電子のラブの公転軌道
これを表にする。但し、１０１０歳の場合、太陽の中心の電子のラブの公転軌道をこの時代の公転軌道として考えた。
2008104347.tif 000010
１３．クエーサーはどのように銀河に変化したか。
これは、「請求項１」に至った考えです。
銀河系を中心に考える。
クエーサーには星ができ銀河系の中央部に成った。
ジェットが届く距離にも星ができ、銀河系の腕に成った。
銀河系の中心のブラックホールは、太陽の質量の１０６倍です。
それで、クエーサーだった時のクエーサーの中心の質量は、太陽の質量の１０６＋２＝１０８倍です。
クエーサーの大きさは、１．８３９×１０１４ｍから、３０００光年（２．８３８×１０１９ｍ）になった。
２×ジェットが届く距離は、２×３．０６５×１０１５ｍから、１０万光年（９．４６×１０２０ｍ）になった。
１．５４３×１０５倍になった。
クエーサーは１．５４３×１０５倍に拡大し、銀河系になった。
１４．クエーサーは１０５年間に何倍に拡大したか。
クエーサーは、１３６億年間で、１．８３９×１０１４ｍから、２．８３８×１０１９ｍに拡大した。
１０５年間にｘ倍拡大したとする。
１．８３９×１０１４ｍ×ｘ×１３６×１０８−５年＝２．８３８×１０１９ｍ
ｘ＝２．８３８×１０１９ｍ÷（１．８３９×１０１４ｍ×１３６×１０３年）＝１．１３５
クエーサーは、１０５年間に１．１３５倍に拡大した。
２×ジェットが届く距離は、１０５年間に１．１３５倍に拡大した。
１３６億年で何ｍになるか。２×ジェットが届く距離は、２×３．０６５×１０１５ｍです。
２×３．０６５×１０１５ｍ×１．１３５×１３６×１０８−５年＝９．４６×１０２０ｍ
よって、クエーサーやジェットが届いた距離は、１０５年間に１．１３５倍に拡大した。
１５．現在、宇宙の形はどのようになっているか。
クエーサーは、球形のまま拡大し、銀河の中心に球形として存在する。
この事は、宇宙も球形のまま拡大し、現在の宇宙に成っている。
宇宙の形は球形である。
１６．地球までの宇宙の半径はいくらか。
１０−１７ｍの時代までは光速で走った。
１０−１６ｍの時代にクエーサーができた。
クエーサーまでは１００億光年である。
クエーサーまでの距離＝１０１０×９．４６×１０１５ｍ＝９．４６×１０２５ｍ
これを、１３６億年で走った。平均の秒速をｘとする。
１３６×１０８×３６５×２４×６０×６０×ｘｍ＝９．４６×１０２５ｍ
ｘ＝２．１×１０７ｍ
１３６億年間、平均秒速２．１×１０７ｍで走った。
クエーサーができるまでは光速で走った。
ビッグバンからクエーサーまでの距離は、
３×１０８ｍ×１億年＝３×１０８ｍ×１０８×３６５×２４×６０×６０＝９．４６×１０２３ｍ
合計の距離は、
９．４６×１０２３ｍ＋９．４６×１０２５ｍ＝９．５５４６×１０２５ｍ
よって、地球までの宇宙の半径は９．５５４６×１０２５です。
【発明の効果】
【０００６】次の事が理解できた。
１．銀河の厚くなった部分の長さ：銀河の直径＝３０００光年：１０５光年＝１：３３．３３
それで、クエーサーの大きさ：２×ジェットが届く距離は１：３３．３３です。
クエーサーの大きさ：２×ジェットが届く距離＝１：３３．３３
クエーサーの大きさ＝２×ジェットが届く距離÷３３．３３＝ジェットが届く距離×０．０６
クエーサーの大きさ＝ジェットが届く距離×０．０６
この式によりクエーサーの大きさが解る。
２．クエーサーの１自転は数日であるといいます。この場合、中心の質量が太陽の１０６倍のクエーサーです。
３．銀河系の中心のブラックホールは太陽の質量の１０６倍であるから、クエーサーの中心部の質量は太陽の１０６＋２＝１０８倍であり、クエーサーは、１．５４３×１０５倍に拡大し銀河系になった。
４．クエーサーの１自転が数日である事によって、ジェットの届く距離は正しい。
５．ジェットの届く距離＝太陽の赤道半径×８４９×クエーサーや銀河の中心のＡ÷太陽の中心のＡ＝６．９６×１０５Ｋｍ×８４９×クエーサーや銀河の中心のＡ÷（３．８７２×１０３）＝１．５２６×１０５Ｋｍ×クエーサーや銀河の中心のＡ
この式は正しい。これは、２００７年８月２５日に提出した特許願の「請求項２４」に記した。
６．中心部が太陽の質量のβ倍のクエーサーの場合、
クエーサーの中心のＡ＝４．３２５×１０４×β１／３
この式は正しい。これは、２００７年８月２５日に提出した特許願の「請求項２２」に記した。
７．クエーサーの大きさは数日で１自転する。しかし、ブラックホールのジェットでできるクエーサーは０．８１８日で１自転する大きさです。
８．この事は、クエーサーはブラックホールのジェットが届く半径１．１２６×１０１１Ｋｍまでの範囲の原子数（電子のラブと陽子のラブの数）がクエーサーに成ったのではない。もっと大きい範囲の原子数がクエーサーに成った。
９．クエーサーができた時、宇宙の原子密度（その時は原子として存在せず、電子のラブと陽子のラブは単独で存在した。）は均一であった。
１０．しかし、クエーサーの大きさが異なるのは、クエーサーができた場のエネルギーが異なるためである。
１１．背景放射の場合。走った距離を、光速×１３７億年とする。
走った距離＝１．３７×１０１０×３×１０８ｍ×３６５×２４×６０×６０＝１．２９６×１０２６ｍ
たどり着く光子のエネルギー＝２×１０８×出発する光子のエネルギー÷（２×走った距離）＝２×１０８×出発する光子のエネルギー÷（２×１．２９６×１０２６ｍ）＝７．７１６×１０−１９×出発する光子のエネルギー
出発する光子のエネルギーはビッグバンの軌道エネルギーであり、光子の軌道エネルギーの７×１０１７倍です。
ビッグバンの軌道エネルギーは、エネルギーだけが減少した。それで、
たどり着く光子のエネルギー＝７．７１６×１０−１９×出発する光子のエネルギー＝７．７１６×１０−１９×７×１０１７倍＝５．４×１０−１倍
１２．地表に可視光でたどり着く場合。
出発した光子のエネルギーは、６．６７×１０−４３ｍ×走った距離  です。
出発した光子の軌道は、１５÷走った距離  です。
１３．クエーサーから出発する光子のエネルギーの式は、
たどり着く光子のエネルギー＝Ｋｍ×ａＪ÷（２×距離）＝２×１０１６ｍ×ａＪ÷（２×距離）  です。
クエーサーから出発した光子は１０８個束になっている。
１４．地表から１００億光年、１０億光年、１億光年の場から出発する光子のエネルギーと地表にたどり着く時のエネルギーについて、表のように理解できた。
2008104347.tif 000011
１５．１００億光年でできた光子、１０億光年でできた光子、１億光年でできた光子は、軌道が小さいので、磁気の光子のエネルギーが大きいため、電気の光子は１０８個で１束になっている。
１６．Ｋの値によって、１束の光子の数が理解できる。
１７．背景放射の場合は表のように理解できた。
2008104347.tif 000012
１８．背景放射の１個の光子のエネルギーは、５．６３５×１０１５個の光子のエネルギーに等しい。
１９．ビッグバンの１個の光子のエネルギーは、７．０２８×１０１７個の光子のエネルギーに等しい。
２０．たどり着く光子のエネルギー＝Ｋｍ×ａＪ÷（２×走った距離）の式と、減少率を表のように理解できた。
2008104347.tif 000013
2008104347.tif 000014
２１．１束の光子数が多い光子ほど、光子のエネルギーの減少率は小さい。
２２．光子のエネルギーの減少率は、１束の光子の数×１０９に反比例する。
２３．光子の軌道が小さいほど、１束の光子数は多く、かつ、エネルギーの減少率は小さい。
背景放射の場合は、１個の光子のエネルギーが１０１６個の光子のエネルギーである。
２４．宇宙の時代をＡで表すと、Ａ３が１ｍ３の原子数（電子のラブと陽子のラブの数）です。
２５．クエーサーには星ができ銀河系の中央部に成った。
ジェットが届く距離にも星ができ、銀河系の腕に成った。
クエーサーは１．５４３×１０５倍に拡大し、銀河系になった。
２６．クエーサーやジェットが届いた距離は、１０５年間に１．１３５倍に拡大した。
【図面の簡単な説明】
【０００７】
【図１】クエーサーとジェットの届いた距離の平面図と銀河系の平面図。クエーサーとジェットの届いた距離の立面図と銀河系の立面図。銀河系の中央は３０００光年。腕の大きさは１０万光年です。
【図２】ビッグバンの光子はクエーサーができた時、クエーサーの中央にあるブラックホールに引かれ、クエーサーの周囲を回転した。現在、この光子はランダムに銀河系の周囲を回転し、背景放射となり、地表にたどり着いている。
【符号の説明】
【０００８】１  クエーサー
２  ジェットが届いた距離
３  銀河系の中心部
４  銀河系の腕
５  クエーサーのブラックホール
６  ビッグバンでできた光子
【図１】
2008104347.tif 000023
【図２】
2008104347.tif 000024